(57)【要約】  【課題】油圧配管用クランプ装置の軽量化を図り、部品点数の低減及び作業の工数の削減を実現し、且つ、油圧配管に対する保持力を増大させる  【解決手段】上部旋回体に搭載された作業機に油圧配管１２，１２を配設すると共に、該油圧配管１２，１２をクランプ部材１４によりクランプするように構成された建設機械の油圧配管用クランプ装置１３において、前記クランプ部材１４は合成樹脂又はゴムにより形成され、且つ、該クランプ部材１４には、油圧配管１２，１２を嵌着してクランプするためのクランプ溝１８が凹設されている。クランプ溝１８，１８は、油圧配管１２，１２の外径と略同径を有する断面略Ｃ字状に形成されている。【選択図】図３
2009243212.tif 000002
【特許請求の範囲】
【請求項１】
上部旋回体に搭載した作業機に油圧配管が配設され、且つ、該油圧配管をクランプ部材によりクランプするように構成して成る建設機械の油圧配管用クランプ装置において、
前記クランプ部材は合成樹脂又はゴムにより形成されていると共に、該クランプ部材には前記油圧配管を嵌着して固定するためのクランプ溝が凹設されていることを特徴とする建設機械の油圧配管用クランプ装置。
【請求項２】
上記クランプ溝は上記油圧配管の外径と略同径を有する断面略Ｃ字状に形成されていることを特徴とする請求項１記載の建設機械の油圧配管用クランプ装置。
【請求項３】
上記クランプ部材に上記クランプ溝が複数互いに平行に設けられていることを特徴とする請求項１又は２記載の建設機械の油圧配管用クランプ装置。
【発明の詳細な説明】
【技術分野】
【０００１】
本発明は、建設機械の油圧配管用クランプ装置に関するものであり、特に、上部旋回体に搭載した作業機の油圧配管をクランプ部材によりクランプするように構成された建設機械の油圧配管用クランプ装置に関するものである。
【背景技術】
【０００２】
従来、下部走行体上に上部旋回体を旋回可能に搭載して成る油圧ショベル等の建設機械においては、ブーム、アーム及びバケット等から構成された作業機が前記上部旋回体に配設されている。そして、前記ブーム、アーム及びバケットには、ブームシリンダ、アームシリンダ及びバケットシリンダが付設されている。
【０００３】
又、上記建設機械の上部旋回体（車体）側には油圧源である油圧ポンプが設置され、該油圧ポンプと前記各種シリンダとは油圧配管により接続されている。したがって、前記油圧ポンプから送出される圧油は、前記油圧配管を通して各種シリンダに供給され、これにより、前記ブームシリンダ、アームシリンダ及びバケットシリンダが相互独立に駆動されるように構成されている。
【０００４】
上記建設機械の油圧配管は、ブームシリンダ、アームシリンダ及びバケットシリンダ毎に設けられている。又、前記油圧配管は前記ブームの背面に沿って配設され、且つ、該油圧配管の適宜箇所は油圧配管用クランプ装置により固定して保持されている。
【０００５】
従来の油圧配管用クランプ装置は例えば、図４又は図５に示すように、正面視にて角形又は波形に形成された金属製の上クランプ部材（油圧配管押え用クランプ部材）２１、下クランプ部材２２及びボルト(締結手段）２３から構成されている。
【０００６】
そして、前記油圧配管用クランプ装置により油圧配管２４，２４をクランプするときは、上クランプ部材２１と下クランプ部材２２の間に油圧配管２４，２４をセットしたのち、上クランプ部材２１、下クランプ部材２２をボルト２３によって締結することにより、上クランプ部材２１と下クランプ部材２２の間に油圧配管２４，２４を挟持固定してクランプしている。尚、図中符号２５はブームの背面又は該背面に固定されたブラケットである。
【特許文献１】特開平１１−２００４０８号公報。
【発明の開示】
【発明が解決しようとする課題】
【０００７】
上記従来技術では、前記油圧配管を挟持固定すべく、該上クランプ部材と下クランプ部材をボルト等の締結手段で締め付ける際、作業者は油圧配管を左手で保持しながら、右手に工具を持って前記ボルトを締め付けなければならない。そのため、油圧配管のクランプ時における作業工数が増加して時間がかかるという問題があった。
【０００８】
また、上クランプ部材と下クランプ部材を締結するためにボルト等の締結手段を必要とするため部品点数が増加し、加えて、上クランプ部材と下クランプ部材は金属材により形成されているので、油圧配管用クランプ装置全体の重量が増大する。更に、前記上クランプ部材、下クランプ部材又は油圧配管の加工精度に所定値以上の寸法誤差がある場合、該油圧配管に対する保持力が不十分になる。
【０００９】
そこで、油圧配管用クランプ装置の軽量化を図り、部品点数の低減及び作業の工数の削
減を実現し、且つ、油圧配管に対する保持力を増大させるために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、上部旋回体に搭載した作業機に油圧配管が配設され、且つ、該油圧配管をクランプ部材によりクランプするように構成された建設機械の油圧配管用クランプ装置において、前記クランプ部材は合成樹脂又はゴムにより形成されていると共に、該クランプ部材には前記油圧配管を嵌着して固定するためのクランプ溝が凹設されている建設機械の油圧配管用クランプ装置を提供する。
【００１１】
この構成によれば、合成樹脂又はゴムから成るクランプ部材にクランプ溝を形成したので、作業者は該クランプ溝に油圧配管を片手で押し込むことにより、該油圧配管がクランプ溝に嵌着して固定される。
【００１２】
請求項２記載の発明は、上記クランプ溝は上記油圧配管の外径と略同径を有する断面略Ｃ字状に形成されている請求項１記載の建設機械の油圧配管用クランプ装置を提供する。
【００１３】
この構成によれば、合成樹脂製又はゴム製のクランプ部材に凹設した断面略Ｃ字状のクランプ溝の開口縁部は所要の弾性を有する。そのため、クランプ溝に油圧配管を押し込んで嵌着固定すると、該クランプ溝の開口縁部が弾性変形し、油圧配管の外周面を押し付けて保持する。
【００１４】
請求項３記載の発明は、上記クランプ部材に上記クランプ溝が複数互いに平行に設けられている請求項１又は２記載の建設機械の油圧配管用クランプ装置を提供する。
【００１５】
この構成によれば、クランプ部材に複数のクランプ溝を互いに平行に設けたので、１つのクランプ部材に複数の油圧配管が同一方向に固定される。
【発明の効果】
【００１６】
請求項１記載の発明は、クランプ部材のクランプ溝に油圧配管を片手で押し込んで嵌着できるので、該油圧配管をワンタッチで迅速に固定することができる。この場合、従来必要であった金属製の油圧配管押え用上クランプ部材及びボルト等の締結手段が不要になり、油圧配管用クランプ装置の部品点数を大幅に低減させることができ、しかも、本発明のクランプ部材は合成樹脂又はゴムにより形成されているので、油圧配管用クランプ装置全体の重量が従来に比べて大幅に軽くなる。
【００１７】
又、油圧配管のクランプ時にボルトの締結作業が不要になるので、作業工数の削減が可能になる。更に、油圧配管などの寸法精度が低い場合でも、クランプ溝の開口縁部の弾性変形により前記寸法精度の誤差を吸収できるので、油圧配管に対する保持力が増大する。
【００１８】
請求項２記載の発明は、前記断面略Ｃ字状のクランプ溝に油圧配管を嵌着固定した状態では、該クランプ溝の開口縁部が油圧配管の外周面を押し付けて保持するので、請求項１記載の発明の効果に加えて、油圧配管に対する保持力が一層増大するメリットを有する。
【００１９】
請求項３記載の発明は、複数の油圧配管を１つのクランプ部材に平行に固定できるので、請求項１又は２記載の発明の効果に加えて、複数の油圧配管を一箇所にて整然と配置して保持することができる。
【発明を実施するための最良の形態】
【００２０】
本発明は、油圧配管用クランプ装置の軽量化を図り、部品点数の低減及び作業の工数の削減を実現し、且つ、油圧配管に対する保持力を増大させるという目的を達成するために、上部旋回体に搭載した作業機に油圧配管が配設され、且つ、該油圧配管をクランプ部材によりクランプするように構成された建設機械の油圧配管用クランプ装置において、前記クランプ部材は合成樹脂又はゴムにより形成されていると共に、該クランプ部材には前記油圧配管を嵌着して固定するためのクランプ溝が凹設されていることにより実現した。
【実施例】
【００２１】
以下、本発明の好適な一実施例を図面に従って説明する。図１は、本発明の油圧配管用クランプ装置を適用した建設機械としての油圧ショベルを示す。同図において、クローラ式の下部走行体１上には上部旋回体２が旋回自在に搭載され、該上部旋回体２の前方一側部にキャブ３が載置されている。また、上部旋回体２の前方中央部には作業機が載置され、該作業機はブーム４，アーム６，バケット８およびこれらを駆動する各種シリンダ５，７，９により構成されている。
【００２２】
より具体的には、ブーム４は上部旋回体２の前方中央部に俯仰可能に取り付けられ、該ブーム４の先端部にアーム６が揺動可能に枢着されている。更に、該アーム６の先端部にはバケット８が回動可能に枢着されている。
【００２３】
また、図２に示すように、上部旋回体２の旋回中心部近傍には旋回モータ１０が設けられ、該旋回モータ１０の後部にコントロールバルブ１１が取り付けられている。該コントロールバルブ（油圧切換調整部）１１は、油圧ポンプ（図示せず）にて生成される圧油を、旋回モータ１０、ブームシリンダ５、アームシリンダ７及びバケットシリンダ９に配給する役割を有している。
【００２４】
上記コントロールバルブ１１と各種シリンダ５，７，９は、それぞれパイプ状の油圧配管１２，１２ ，１２により接続され、該油圧配管１２，１２，１２を通して各種シリンダ５，７，９に圧油を送給できるように構成されている。また、該油圧配管１２，１２，１２はブーム４及び又はアーム６の背面において該ブーム４及び又はアーム６の長手方向に延びて配置され、該油圧配管１２，１２，１２の下端近傍部は油圧配管用クランプ装置１３により固定して保持されている。
【００２５】
図３は、油圧配管用クランプ装置１３（以下、単に「クランプ装置１３」という）を示す一部切欠拡大図である。尚、同図は説明の都合上、１台のクランプ装置１３に２本の油圧配管１２，１２を固定した形態例を示すが、１台のクランプ装置１３に１本又は３本以上の油圧配管１２，１２，１２を固定するように構成することもできる。又、図示例の油圧配管１２，１２は互いに同一の外径を有するが、該油圧配管１２，１２の外径は互いに相異していてもよく、この場合、後述するクランプ溝１８，１８の直径は該油圧配管１２，１２の外径に応じて設定するものとする。
【００２６】
図３に示すように、クランプ装置１３はブロック状のクランプ部材１４を備え、該クランプ部材１４の上面中央部には底面部を有する孔１５が開穿されている。又、該クランプ部材１４は、弾性変形可能な合成樹脂材により形成されているが、使用状況などに応じてゴム材により形成することもできる。
【００２７】
更に、クランプ部材１４は固定手段を介してブーム４及び又はアーム６の背面に直接固設されている。本実施例では、固定手段はブーム４及び又はアーム６の背面に溶接にて一体化されたナット１６と、該ナット１６に螺合するボルト１７とから成り、該ボルト１７の締め付け力によりクランプ部材１４の孔１５の底面部が前記ブーム４及び又はアーム６の背面に固着されている。尚、クランプ部材１４は前記ブーム４及び又はアームの背面にブラケットを介して取り付けることもできる。
【００２８】
そして、クランプ部材１４上面における孔１５の左右両側には、油圧配管１２，１２を嵌着して保持固定するためのクランプ溝１８，１８が凹設されている。該クランプ溝１８，１８はブーム４の長手方向と同方向に平行に延びるように形成されている。
【００２９】
また、クランプ溝１８，１８は断面略Ｃ字状に形成され、該クランプ溝１８，１８の開口縁部の幅寸法は、油圧配管１２，１２の直径よりも若干小に設定されている。更に、クランプ溝１８，１８の直径は油圧配管１２，１２の外径と略同一に設定されている。
【００３０】
上記クランプ装置１３により油圧配管１２，１２をクランプするとき、作業者は片手で油圧配管１２，１２をクランプ溝１８，１８の開口縁部に当てて、該油圧配管１２，１２をクランプ溝１８，１８の奥方に押し込めばよい。これにより、油圧配管１２，１２の押込み方向側の外周面によってクランプ溝１８，１８の開口縁部が押し広げられ、油圧配管１２，１２の外周面がクランプ溝１８，１８の内周面に当接する位置まで移動して嵌合装着される。
【００３１】
この場合、クランプ部材１４は所要の弾性変形力を有する合成樹脂により形成されているので、油圧配管１２，１２の嵌着後、クランプ溝１８，１８の開口縁部が反力により内面側に弾性変形して、該弾性変形部分が油圧配管１２，１２の外周面に押し付け状態で密着する。そのため、クランプ溝１８，１８の開口縁部の押し付け作用により油圧配管１２，１２に対する保持力が増大し、油圧配管１２，１２がクランプ溝１８，１８から不測の外力により離脱する恐れがない。
【００３２】
以上説明したように本発明によれば、合成樹脂製のクランプ部材１４にクランプ溝１８，１８を形成したので、作業者は該クランプ溝１８，１８に油圧配管１２，１２を片手で押し込むことにより、該油圧配管１２，１２をワンタッチで嵌着固定することができ、油圧配管１２，１２の固定強度が向上する。その際、従来必要であったボルトの締結作業が不要になるので作業工数が削減する。
【００３３】
又、従来必要あった金属製の油圧配管押え用上クランプ部材及びボルト等の締結手段が不要になり、クランプ装置１３の部品点数が低減し、しかも、本発明のクランプ部材１４は合成樹脂により形成されているので、クランプ装置１３全体として大幅な軽量化が可能になる。
【００３４】
特に、油圧配管１２，１２などの寸法精度が低い場合でも、クランプ溝１８，１８の開口縁部の弾性変形作用により油圧配管１２，１２などの寸法精度の誤差が吸収されるので、油圧配管１２，１２に対する保持力が一層増大する。
【００３５】
又、クランプ部材１４に複数のクランプ溝１８，１８ …を互いに平行に設けたので、１つのクランプ部材１４に複数の油圧配管１２，１２…を整然と配置して保持することができる。更に、仕様の異なる複数の油圧配管１２，１２…に対応可すべく、クランプ装置１３のユニット化が可能になり、自由度の高いレイアウト設計を容易に実現することができる。
【００３６】
上記実施例では、前記クランプ溝１８，１８の断面形状を略Ｃ字状に形成したが、これに限定せられるべきではなく、クランプ部材１４の弾性変形力や油圧配管１２，１２の大きさなどの設計事項に応じて、例えばＵ字状又は略半円状などに形成することも可能である。
【００３７】
なお、本発明は、本発明の精神を逸脱しない限り種々の改変を為すことができ、そして、本発明が該改変されたものに及ぶことは当然である。
【図面の簡単な説明】
【００３８】
【図１】本発明の油圧配管用クランプ装置を適用した油圧ショベルの全体側面図。
【図２】図１の油圧配管用クランプ装置の上面図。
【図３】本発明の一実施例に係る油圧配管用クランプ装置を示す一部切欠拡大図。
【図４】従来の油圧配管用クランプ装置の一例を示す説明図。
【図５】従来の油圧配管用クランプ装置の他の例を示す説明図。
【符号の説明】
【００３９】
４    ブーム
１２  油圧配管
１３  油圧配管用クランプ装置
１４  クランプ部材
１５  孔
１６  ナット
１７  ボルト
１８  クランプ溝
【図１】
2009243212.tif 000003
【図２】
2009243212.tif 000004
【図３】
2009243212.tif 000005
【図４】
2009243212.tif 000006
【図５】
2009243212.tif 000007